(57)【要約】      （修正有）【課題】棒状の取付対象に素早く且つ綺麗に装着することが可能な視線誘導標を提供する。【解決手段】ガードレールの柱や鉄道の踏切の遮断竿等の棒状の取付対象に装着される螺旋状視線誘導標１０であって、取付対象の外径よりも小さい内径を有する螺旋状に形成されている樹脂製のベース材１０１と、該ベース材１０１の表面に設けられた反射材１０２と、を備えている。螺旋状視線誘導標１０は、棒状の取付対象に、素早く且つ綺麗に装着することができる。【選択図】図１
0003222034.tif 000002
【実用新案登録請求の範囲】
【請求項１】
棒状の取付対象に装着される視線誘導標であって、
前記取付対象の外径よりも小さい内径を有する螺旋状に形成されている樹脂製のベース材と、
該ベース材の表面に設けられた反射材と、
を備えていることを特徴とする螺旋状視線誘導標。
【請求項２】
前記ベース材が樹脂製のパイプから螺旋状に切り出されたものである請求項１に記載の螺旋状視線誘導標。
【請求項３】
前記ベース材が繊維強化樹脂製である請求項１又は２に記載の螺旋状視線誘導標。
【請求項４】
前記ベース材がポリウレタン樹脂製である請求項１又は２に記載の螺旋状視線誘導標。
【請求項５】
前記取付対象が道路の傍らに設置されているガードレールの柱である請求項１〜４のいずれかに記載の螺旋状視線誘導標。
【請求項６】
前記取付対象が鉄道の踏切の遮断竿である請求項１〜４のいずれかに記載の螺旋状視線誘導標。
【考案の詳細な説明】
【技術分野】
【０００１】
本考案は、車道や歩道の傍らに設置されているガードレールの柱や鉄道の踏切の遮断竿等の棒状の取付対象に装着する視線誘導標に関する。
【背景技術】
【０００２】
山中の車道の傍らに設置されているガードレールや鉄道の踏切等において、利用者に対して事故防止に向けた注意喚起をするため、様々な種類の視線誘導標が使用されている。
【０００３】
例えば、特許文献１には、円柱状のポールに反射テープを一定間隔で巻いて貼着した視線誘導標識柱が記載されている。しかし、多数の反射テープを巻くのは手間がかかるとともに、一定のスペースを空けて巻くためには注意深い作業が必要となる。そこで、特許文献１及び特許文献２には、円柱状のポールに対して反射テープを斜めにあてがい、螺旋状に巻き付けて貼着した視線誘導標識柱が記載されている。これであると1本のテープで巻くことができるし、スペースもほぼ一定となる。
【先行技術文献】
【特許文献】
【０００４】
【特許文献１】特開2009-062715号公報（[0004],図6）
【特許文献２】特開2003-105725号公報（[0010],図2）
【考案の概要】
【考案が解決しようとする課題】
【０００５】
しかしながら、コスト低減のために薄い反射テープを用いると、棒状の取付対象に螺旋状に貼付する際、接着面にしわが寄ってしまったり、螺旋のスペースが一定にならなかったりして、素早く且つ綺麗に装着することが難しい。
【０００６】
また、鉄道の踏切の遮断竿に後付けで反射材を取り付ける場合、遮断竿が降りている間に行わなければならないことから、作業時間が短時間に限られてしまう。このため、より素早く且つ綺麗に装着することのできる視線誘導標が求められている。
【０００７】
本考案の課題は、棒状の取付対象に素早く且つ綺麗に装着することが可能な視線誘導標を提供することである。
【課題を解決するための手段】
【０００８】
上記課題を解決するために成された本考案は、棒状の取付対象に装着される螺旋状視線誘導標であって、
前記取付対象の外径よりも小さい内径を有する螺旋状に形成されている樹脂製のベース材と、
該ベース材の表面に設けられた反射材と、
を備えていることを特徴とする。
【０００９】
本考案に係る螺旋状視線誘導標は、ベース材が樹脂製であり、また、螺旋状となっているため、その端から順に棒状の取付対象に装着してゆくことができる。これにより、短時間で素早く且つ綺麗に該取付対象に取り付けることができる。そして、螺旋状のベース材の内径が取付対象の外径よりも小さくなるよう設定されているため、取付対象に取り付けた後は、該ベース材の弾性により、螺旋状視線誘導標は取付対象に確実に固定される。
【００１０】
本考案に係る螺旋状視線誘導標の取付対象は、車道の傍らに設置されているガードレールの柱とすることができる。また、鉄道の踏切の遮断竿とすることができる。
【００１１】
前記ベース材は、繊維強化樹脂（FRP）製であることが好ましい。また、ポリウレタン樹脂製としてもよい。
【００１２】
ベース材をFRP製とすることにより、螺旋状視線誘導標はより高強度となり、より長時間使用することができるようになる。また、ベース材をポリウレタン樹脂製とすることにより、低コスト化を図ることができる。
【００１３】
本考案に係る螺旋状視線誘導標のベース材は、樹脂製の円筒（パイプ）から切り出すことにより製作することができる。この場合、反射材は最初に樹脂製の円筒の外周全面に貼付してもよい。また、ベース材は樹脂の螺旋状押し出し成形により製作してもよい。この場合、反射材は樹脂押し出し時に外表面に載せることによりベース材に固定することができる。また、反射材をベース材の内部に封入することで固定するようにしてもよい。
【考案の効果】
【００１４】
本考案の螺旋状視線誘導標は、棒状の取付対象に、素早く且つ綺麗に装着することができる。
【図面の簡単な説明】
【００１５】
【図１】（１）本考案に係る螺旋状視線誘導標の第１実施形態の正面図、（２）側面図。
【図２】本考案に係る螺旋状視線誘導標の第１実施形態を棒状の取付対象に巻き付けた様子を示す図。
【図３】（１）本考案に係る螺旋状視線誘導標の第２実施形態の正面図、（２）第２実施形態の素線の帯幅方向における断面図。
【図４】本考案に係る螺旋状視線誘導標の第２実施形態を棒状の取付対象に巻き付けた様子を示す図。
【図５】（１）本考案に係る螺旋状視線誘導標の第３実施形態の正面図、（２）第３実施形態の素線の帯幅方向における断面図。
【考案を実施するための形態】
【００１６】
＜第１実施形態＞
以下、本考案に係る螺旋状視線誘導標の第１実施形態について図１及び図２を参照しつつ説明する。
【００１７】
＜１．構成＞
図１（１）は、本実施形態の螺旋状視線誘導標１０の正面図である。螺旋状視線誘導標１０は、ガードレールの柱等の取付対象の外径よりも小さい内径を有する、螺旋状に形成された塩化ビニル製のベース材１０１と、ベース材１０１の表面に設けられた再帰反射材１０２と、を備える。
【００１８】
一般的なガードレールの柱の外径は11.43cmまたは13.98cmであるが、本実施形態の螺旋状視線誘導標１０が対象とするガードレールの柱は、外径が11.43cmのものである。そこで、本実施形態の螺旋状視線誘導標１０のベース材１０１の内径Ｌ１は、図１（２）に示すように、8.3cmとなっている。ベース材１０１の全長Ｌ２は300mm、帯幅Ｌ３は40mm、螺旋の間隔Ｌ４は25mm、厚さＬ５は5.5mmである。このように、螺旋状のベース材１０１の内径が取付対象の外径よりも小さくなるように設定されているため、螺旋状視線誘導標１０を取付対象に取り付けた後は、螺旋状視線誘導標１０のベース材１０１の弾性により、取付対象であるガードレールの柱に確実に固定される。
【００１９】
螺旋状視線誘導標１０のベース材１０１は、塩化ビニル製であるため、耐候性および耐久性に優れている。
【００２０】
再帰反射材１０２は、アクリル系樹脂から成るベースシートの表面に微細なガラスビーズを固定したガラスビーズ型再帰反射材である。再帰反射材１０２の輝度は、360mcd/lux以上、つまり視認距離100m以上であることが好ましい。反射材の色は、一般的な黄色の他に、白やグレー、また景観に配慮したこげ茶色等、どのようなものでも構わない。
＜２．螺旋状視線誘導標の製作＞
【００２１】
螺旋状視線誘導標１０は、次のようにして製作される。まず、前記内径及び厚さを有する塩ビパイプの外表面全面にシート状の再帰反射材を貼付する。次に、このパイプをジグソー等の切断装置によって螺旋状に切り、螺旋状視線誘導標１０を切り出す。
【００２２】
上記製作方法では予めパイプの全面にシート状の再帰反射材を貼付しておき、そこから螺旋状視線誘導標１０を切り出したが、パイプからベース材１０１を螺旋状に切り出した後にテープ状の再帰反射材１０２を貼付してもよい。
【００２３】
螺旋状視線誘導標１０のベース材１０１は、ポリエチレン樹脂やウレタン系エラストマー、FRPを用いて製作してもよい。
【００２４】
ベース材１０１は、樹脂の押し出し成形により製作してもよい。この場合、再帰反射材１０２は樹脂押し出し時に外表面に載せて該ベース材１０１の表面に固定する。
＜３．螺旋状視線誘導標の使用方法＞
【００２５】
図２に示すように、螺旋状視線誘導標１０の螺旋状となっているベース材の端から順に棒状の取付対象５０に装着してゆく。これにより、短時間で素早く且つ綺麗に該取付対象５０に取り付けることができる。なお、本実施形態の螺旋状視線誘導標１０はガードレールの柱に取り付けるのに適しているが、鉄道の踏切の遮断竿等、他の交通標識等に取り付けることも可能である。
【００２６】
＜第２実施形態＞
以下、本考案に係る螺旋状視線誘導標の第２実施形態について説明する。第２実施形態の螺旋状視線誘導標は、その主な取り付け対象を鉄道の踏切の遮断竿とするものである。以下、第１実施形態と異なる部分を中心に、図３または図４を参照しつつ説明する。
【００２７】
＜１．構成＞
図３（１）は、本実施形態の螺旋状視線誘導標２０の正面図である。螺旋状視線誘導標２０は、取付対象（鉄道の踏切の遮断竿）の外径よりも小さい内径を有する、螺旋状に形成されたポリウレタン樹脂製のベース材２０１と、ベース材２０１の表面側に設けられたオープンレンズ型反射ファブリックの再帰反射材２０２と、を備える。
【００２８】
螺旋状視線誘導標２０の素線の帯幅方向における断面図を図３（２）に示す。ベース材２０１は透明ポリウレタン樹脂製の下地樹脂層からなっており、その上に、ベース材２０１よりもやや狭幅のナイロン製の黒フィルム２０４が貼付され、更にその上に小さい帯幅の再帰反射材２０２が貼付されている。再帰反射材２０２は、オープンレンズ型反射ファブリックの反射面を上側、基布を下側としてベース材２０１上に配置されている。そして、これらベース材２０１及び再帰反射材２０２の表面側に最上層として透明ポリウレタン樹脂製の上地樹脂層２０３が重ねられている。
【００２９】
一般的な踏切の遮断竿の外径は約40mmであることから、螺旋状視線誘導標２０の内径は36mmとなっている。螺旋状視線誘導標２０の全長Ｌ２２は500mm、帯幅Ｌ２３は15mm、螺旋の間隔Ｌ２４は5mm、厚さは2mm、再帰反射材２０２の幅Ｌ２６は6mmである。螺旋状視線誘導標１０と同様、螺旋状視線誘導標２０を取付対象６０に取り付けた後は、ベース材２０１及び上地樹脂層２０３の弾性により、取付対象６０に確実に固定される。
【００３０】
＜２．螺旋状視線誘導標の製作＞
螺旋状視線誘導標２０は、次のようにして作製される。まず、透明ポリウレタン製の直径20mm程度のチューブを用意する。その中に、前記黒フィルム２０４と前記再帰反射材２０２のテープを重ね、前記再帰反射材２０２の反射面が上側、黒フィルム２０４が下側となるように挿入し、該チューブを、一方の面が黒色（黒フィルム面）、他方の面が透明（反射面）となるように加熱圧着し、平板状にする。これを円筒状の心棒等に螺旋状に巻き付けることで、黒色フィルム側がベース材２０１、透明側が上地樹脂層２０３となる螺旋状視線誘導標２０が作製される。
【００３１】
また、螺旋状視線誘導標２０は次のようにして作製することもできる。まず、ベース材２０１の原材料となる透明ポリウレタン樹脂が加熱された状態で樹脂押出口より押し出されることにより形成される長尺板材を、螺旋回転している円筒状の心棒に巻き付けてゆく。この時、ベース材２０１の外周側にテープ状の黒フィルム２０４及び再帰反射材２０２を重ね、融着してゆく。これと同時に、上地樹脂層２０３の原材料となる透明ポリウレタン樹脂を加熱して前記とは別の樹脂押出口より押し出されることにより形成される長尺板材を、最上層に重ねて巻き付けてゆく。こうして積層されたベース材を水冷等で冷却、固化した後、心棒を抜き取る。
【００３２】
再帰反射材２０２の色は、一般的な黄色の他に、白やオレンジ、赤等、どのようなものでも構わない。また、再帰反射材２０２の色に応じて、ベース材２０１の色も白等に変更しても構わない。
【００３３】
＜３．螺旋状視線誘導標の使用方法＞  
図４に示すように、螺旋状視線誘導標２０の螺旋状となっているベース材の端から順に棒状の取付対象６０に装着してゆく。これにより、短時間で素早く且つ綺麗に該取付対象６０に取り付けることができる。なお、本実施形態の螺旋状視線誘導標２０は鉄道の踏切の遮断竿に取り付けるのに適しているが、ガードレールの柱等、他の交通標識等に取り付けることも可能である。
【００３４】
＜第３実施形態＞
以下、本考案に係る螺旋状視線誘導標の第３実施形態について説明する。第３実施形態の螺旋状視線誘導標は、その基本的構成及び製作方法は第２実施形態と同様であり、その主な取り付け対象を鉄道の踏切の遮断竿とするものである。以下、第２実施形態と異なる部分を中心に、図５を参照しつつ説明する。第２実施形態と同一の箇所には下２桁が同一の符号を付している。
【００３５】
図５（１）は、本実施形態の螺旋状視線誘導標３０の正面図を、図５（２）は、該螺旋状視線誘導標３０の素線の帯幅方向における断面図を示す。螺旋状視線誘導標３０は、螺旋状視線誘導標２０と同じく外径40mmの踏切の遮断竿をその取り付け対象とするため、内径は36mmとなっている。全長Ｌ３２は500mm、帯幅Ｌ３３は30mm、螺旋の間隔Ｌ３４は5mm、厚さは2mm、再帰反射材３０２の幅Ｌ３６は25mmである。螺旋状視線誘導標２０と同様、螺旋状視線誘導標３０を取付対象に取り付けた後は、ベース材３０１及び上地樹脂層３０３の弾性により、取付対象６０に確実に固定される。本実施形態の螺旋状視線誘導標３０は、素線がより密に遮断竿に巻き付けられ、また、再帰反射材３０２の幅が広いため、より遠方から視認可能となっている。
【符号の説明】
【００３６】
１０、２０、３０…螺旋状視線誘導標
１０１、２０１、３０１…ベース材
１０２、２０２、３０２…再帰反射材
２０３、３０３…上地樹脂層
２０４、３０４…黒フィルム
５０、６０…取付対象
【図１】
0003222034.tif 000003
【図２】
0003222034.tif 000004
【図３】
0003222034.tif 000005
【図４】
0003222034.tif 000006
【図５】
0003222034.tif 000007